(57)【要約】【課題】外観の意匠性を損なうことなく、網戸の脱落をより確実に防止する機能を有する建具を提供する。【解決手段】室内外の境界に設けられた枠体と、前記枠体に設けられたレールに沿って見付け方向に移動可能な網戸と、前記レールの室内側に設けられ、前記網戸の見付け方向の移動を許容しつつ当該網戸と前記枠体とを連結する網戸連結機構と、を有する。【選択図】図３
2011149258.tif 000002
【特許請求の範囲】
【請求項１】
室内外の境界に設けられた枠体と、
前記枠体に設けられたレールに沿って見付け方向に移動可能な網戸と、
前記レールの室内側に設けられ、前記網戸の見付け方向の移動を許容しつつ当該網戸と前記枠体とを連結する網戸連結機構と、
を有することを特徴とする建具。
【請求項２】
請求項１に記載の建具であって、
前記網戸連結機構は、
前記枠体と前記網戸とのうちの一方に固定され、前記枠体と前記網戸とを連結する連結部材と、
前記枠体と前記網戸とのうちの他方に取り付けられ、前記連結部材と係合し前記網戸の移動に伴って前記連結部材との係合位置が見付け方向に移動する係合部材と、
を有することを特徴とする建具。
【請求項３】
請求項２に記載の建具であって、
前記係合部材は、見付け方向に沿って設けられたワイヤであり、
前記連結部材は、前記ワイヤが挿通される挿通穴を有しており、
前記網戸の移動に伴って前記挿通穴に挿通された前記ワイヤと前記挿通穴との係合位置が見付け方向に移動することを特徴とする建具。
【請求項４】
請求項３に記載の建具であって、
前記ワイヤは、一方の端部が固定され、
他方の端部には、前記挿通穴の内径より大きな外径を有する端子が設けられて、前記端子が取り外し可能に取り付けられていることを特徴とする建具。
【請求項５】
請求項２に記載の建具であって、
前記係合部材は、見付け方向に沿って設けられたワイヤであり、
前記連結部材は、前記ワイヤに引っ掛けられるフック部材であり、
前記網戸の移動に伴って前記ワイヤに引っ掛けられた前記フック部材と前記ワイヤとの係合位置が見付け方向に移動することを特徴とする建具。
【請求項６】
請求項２に記載の建具であって、
前記係合部材は、見付け方向に沿って設けられたガイドレールであり、
前記連結部材は、前記ガイドレールと係合されており、前記網戸の移動に伴って前記ガイドレールとの係合位置が見付け方向に移動することを特徴とする建具。
【請求項７】
請求項１に記載の建具であって、
前記網戸連結機構は、
見付け方向に間隔を隔てて前記枠体に設けられた一対のガイドプーリーと、
前記一対のガイドプーリーに引き回され、見付け方向における前記網戸の一方の端部と、見付け方向における前記網戸の他方の端部と、を繋ぐワイヤであることを特徴とする建具。
【発明の詳細な説明】
【技術分野】
【０００１】
本発明は、枠体の室外側に網戸を備えた建具に関する。
【背景技術】
【０００２】
枠体の室外側に網戸を備えた建具には、網戸が外れることを防止するために、上下方向に移動させるための長穴を備えた外止片を、網戸の上部に、長穴を貫通するビスにて螺着した網戸を有する建具が知られている（例えば、特許文献１参照）。このような建具は、長穴による取り付け許容範囲の下側に外止片を配置して、網戸を建て込み、建て込んだ後に、外止片を上方に移動させてビスを締め付けることにより、網戸の上方への移動を規制して網戸が外れることを防止している。
【先行技術文献】
【特許文献】
【０００３】
【特許文献１】実公平４−４１５８号公報
【発明の概要】
【発明が解決しようとする課題】
【０００４】
しかしながら、上記従来の建具は、網戸の上方への移動を規制する外止片が、網戸から上方に突出させてビスにて固定されているので、ビスの締め付けが緩かったり、網戸を長年使用してビスが緩んだりすると、外止片が自重や衝撃などにより下がり、網戸が外れやすくなる虞があるという課題がある。  
また、網戸は建物の最も外側に設けられているので、建物の意匠性を損なわないことも要求されている。
【０００５】
本発明は、かかる課題に鑑みてなされたものであり、その目的とするところは、外観の意匠性を損なうことなく、網戸の脱落をより確実に防止する機能を有する建具を提供することにある。
【課題を解決するための手段】
【０００６】
かかる目的を達成するために本発明の建具は、室内外の境界に設けられた枠体と、前記枠体に設けられたレールに沿って見付け方向に移動可能な網戸と、前記レールの室内側に設けられ、前記網戸の見付け方向の移動を許容しつつ当該網戸と前記枠体とを連結する網戸連結機構と、を有することを特徴とする建具である。  
このような建具によれば、網戸と枠体とは網戸連結機構により、網戸の見付け方向の移動を許容しつつ連結されているので、たとえ網戸が外れたとしても枠体に保持されて脱落することを防止することが可能である。また、網戸連結機構は網戸が沿わされるレールの室内側に設けられているので、網戸が取り付けられた際には、網戸連結機構は室外側に露出する虞はない。このため、外観からの意匠性を損なうことなく、網戸の脱落をより確実に防止する機能を有する建具を提供することが可能である。
【０００７】
かかる建具であって、前記網戸連結機構は、前記枠体と前記網戸とのうちの一方に固定され、前記枠体と前記網戸とを連結する連結部材と、前記枠体と前記網戸とのうちの他方に取り付けられ、前記連結部材と係合し前記網戸の移動に伴って前記連結部材との係合位置が見付け方向に移動する係合部材と、を有することが望ましい。  
このような建具によれば、枠体と網戸とを連結する連結部材が、枠体と網戸とのうちの一方に固定され、連結部材と係合し網戸の移動に伴って連結部材との係合位置が見付け方向に移動する係合部材が、枠体と網戸とのうちの他方に取り付けられているので、網戸の見付け方向の移動を許容しつつ網戸と枠体とを連結することが可能である。
【０００８】
かかる建具であって、前記係合部材は、見付け方向に沿って設けられたワイヤであり、前記連結部材は、前記ワイヤが挿通される挿通穴を有しており、前記網戸の移動に伴って前記挿通穴に挿通された前記ワイヤと前記挿通穴との係合位置が見付け方向に移動することが望ましい。  
このような建具によれば、見付け方向に沿って設けられたワイヤが、枠体と網戸とのうちの一方に固定され、ワイヤが挿通される挿通穴を有する連結部材が枠体と網戸とのうちの他方に取り付けられているので、網戸が見付け方向に移動すると、連結部材がワイヤに沿って移動することにより、ワイヤと挿通穴との係合位置が見付け方向に移動する。このため、網戸と枠体とが連結された状態を維持したままで網戸の見付け方向の移動を許容することが可能である。
【０００９】
かかる建具であって、前記ワイヤは、一方の端部が固定され、他方の端部には、前記挿通穴の内径より大きな外径を有する端子が設けられて、前記端子が取り外し可能に取り付けられていることが望ましい。  
このような建具によれば、ワイヤの一方の端部を枠体と網戸とのうちの一方に固定し、連結部材を枠体と網戸とのうちの他方に固定することにより、誤って網戸が外れてしまっても、他方の端部に設けられた端子によりワイヤが連結部材から外れないので、より確実に網戸の脱落を防止することが可能である。また、網戸を着脱する際には、網戸を室内側に置いたまま、ワイヤの一方の端部を枠体と網戸とのうちの一方に固定し、連結部材を枠体と網戸とのうちの一方に固定することにより、網戸の着脱の際にも網戸の脱落を防止することが可能である。
【００１０】
かかる建具であって、前記係合部材は、見付け方向に沿って設けられたワイヤであり、前記連結部材は、前記ワイヤに引っ掛けられるフック部材であり、前記網戸の移動に伴って前記ワイヤに引っ掛けられた前記フック部材と前記ワイヤとの係合位置が見付け方向に移動することが望ましい。  
このような建具によれば、見付け方向に沿って設けられたワイヤにフック部材を引っ掛けるだけで、網戸と枠体とを容易に連結することが可能である。また、見付け方向に沿って設けられたワイヤが、枠体と網戸とのうちの一方に固定され、ワイヤに引っ掛けられるフック部材が枠体と網戸とのうちの他方に取り付けられているので、網戸が見付け方向に移動すると、フック部材がワイヤに沿って移動することにより、ワイヤとフック部材との係合位置が見付け方向に移動する。このため、網戸と枠体とが連結された状態を維持したままで網戸の見付け方向の移動を許容することが可能である。
【００１１】
かかる建具であって、前記係合部材は、見付け方向に沿って設けられたガイドレールであり、前記連結部材は、前記ガイドレールと係合されており、前記網戸の移動に伴って前記ガイドレールとの係合位置が見付け方向に移動することが望ましい。  
このような建具によれば、見付け方向に沿って設けられたガイドレールに、網戸の移動に伴ってガイドレールとの係合位置が見付け方向に移動する連結部材が係合されているので、網戸が見付け方向に移動すると、連結部材がガイドレールに沿って移動することにより、ガイドレールと連結部材との係合位置が見付け方向に移動する。このため、網戸と枠体とが連結された状態を維持したままで網戸の見付け方向の移動を許容することが可能である。
【００１２】
かかる建具であって、前記網戸連結機構は、見付け方向に間隔を隔てて前記枠体に設けられた一対のガイドプーリーと、前記一対のガイドプーリーに引き回され、見付け方向における前記網戸の一方の端部と、見付け方向における前記網戸の他方の端部と、を繋ぐワイヤであることが望ましい。  
このような建具によれば、網戸の、見付け方向における一方の端部と他方の端部とがワイヤにて繋がれているので、ワイヤと網戸とは環状をなしている。環状をなすワイヤと網戸とのうちのワイヤが枠体に設けられた一対のガイドプーリーに引き回されているので、たとえ網戸が外れたとしても、ワイヤがガイドプーリーに引っ張られて吊り下げられる。また、一対のガイドプーリーは見付け方向に間隔を隔てて設けられているので、網戸の見付け方向の移動が許容される。このため、網戸の見付け方向の移動を許容しつつ網戸と枠体とを連結して脱落を防止することが可能である。
【発明の効果】
【００１３】
本発明によれば、外観の意匠性を損なうことなく、網戸の脱落をより確実に防止する機能を有する建具を提供することが可能である。
【図面の簡単な説明】
【００１４】
【図１】第１実施形態に係る建具を室内側から見た外観図と、建具の上部に設けられた網戸連結機構の配置を示す拡大断面図である。
【図２】第１実施形態に係る建具の上部の縦断面図である。
【図３】網戸連結機構を示す正面図である。
【図４】図４（ａ）は、連結部材の正面図である。図４（ｂ）は、連結部材の側面図である。
【図５】図５（ａ）は、ワイヤ係止ブラケットの正面図である。図５（ｂ）は、ワイヤ係止ブラケットの平面図である。図５（ｃ）は、ワイヤ係止ブラケットの側面図である。
【図６】網戸が枠体から外れた状態を示す正面図である。
【図７】ワイヤの一端が固定された状態で網戸が枠体から外れた状態を示す正面図である。
【図８】網戸連結機構の第２実施形態を示す正面図である。
【図９】網戸連結機構の第３実施形態を示す正面図である。
【図１０】網戸連結機構の第４実施形態を示す正面図である。
【図１１】図１１（ａ）は、連結部材の変形例の正面図である。図１１（ｂ）は、連結部材の変形例の側面図である。
【発明を実施するための形態】
【００１５】
以下、本発明の第１実施形態に係る建具について、図面を参照して説明する。
【００１６】
第１実施の形態に係る建具１は、図１、図２に示すように、見付け方向に移動可能な２枚の障子３を備えた引き違い窓用の建具１である。図１においては、網戸レールより室内側に設けられた網戸連結機構の配置を示すために、網戸レールを取り除いた状態の拡大図も示している。
【００１７】
以下の説明では、建具１を室内側から見たときに上下となる方向を上下方向、左右となる方向を見付け方向、室内外方向である奥行き方向を見込み方向として示す。また、建具が備える部材や部位については、単体の説明であっても、建具として建物等に取り付けられた状態にて、上下となる方向を上下方向、左右となる方向を見付け方向、室内外方向である奥行き方向を見込み方向として示す。
【００１８】
建具１は、室内外の境界に設けられた枠体１０と、枠体１０に設けられた障子レール１１及び網戸レール１２に沿って見付け方向に移動可能な２枚の障子３及び網戸２０と、網戸２０を案内する網戸レール１２の室内側に設けられ、網戸２０の見付け方向の移動を許容しつつ網戸２０と枠体１０とを連結する網戸連結機構３０と、を有している。
【００１９】
枠体１０は、矩形状に枠組みされて躯体（不図示）に取り付けられており、矩形状の内側に形成される開口を閉塞可能な障子３を見付け方向に案内する２本の障子レール１１と２本の障子レール１１の室外側にて網戸２０を見付け方向に案内する網戸レール１２とが、上枠１０ａ及び下枠１０ｂに設けられている。
【００２０】
上枠１０ａに設けられた２本の障子レール１１及び網戸レール１２は、上方から垂設されたヒレ状の部位であり、下枠１０ｂに設けられた２本の障子レール（不図示）及び網戸レール（不図示）は、下方から立設されたヒレ状の部位である。上枠１０ａ及び下枠１０ｂに設けられた、２本の障子レール１１及び網戸レール１２は見込み方向に互いに間隔を隔てて平行に配置され、ほぼ水平な面を有する枠体１０の本体部１３にて繋がって一体に形成されている。
【００２１】
網戸２０は、矩形状に枠組みされた框体２１の内側に網材２５が張設されて形成されている。框体２１を構成し、網戸２０の上部に配置される上框２２は、断面が矩形状の中空部が見付け方向に沿って配置された本体部２２ａと、本体部２２ａの室内側に設けられ上方に突出された板状の被ガイド部２２ｂとを有している。被ガイド部２２ｂは、見付け方向のほぼ全域に設けられており、網戸２０が枠体１０に建て込まれたときに、上枠１０ａの網戸レール１２と外障子３ａ用の障子レール１１ａ（以下、外障子レールという）との間に挿入され、網戸２０が移動する際に、網戸レール１２により案内される。
【００２２】
網戸２０の被ガイド部２２ｂが挿入される、網戸レール１２と外障子レール１１ａとの間、すなわち、網戸レール１２の室内側に、網戸連結機構３０が設けられている。網戸２０及び障子３は、けんどん方式にて枠体１０に建て込まれる。このため網戸２０及び障子３が枠体１０に建て込まれた後には、網戸２０と障子３の上方に空間が形成される。この空間を利用して網戸連結機構３０が設けられている。
【００２３】
第１実施形態の網戸連結機構３０は、図１〜図３に示すように、網戸２０の上框２２に、見付け方向のほぼ中央に位置させて固定され枠体１０と網戸２０とを連結する連結部材３２と、枠体１０に見付け方向に沿って設けられる係合部材としてのワイヤ３３と、ワイヤ３３の両端部を枠体１０に固定するためのワイヤ係止ブラケット３６と、を有している。
【００２４】
連結部材３２は、図４に示すように、網戸２０の上框２２が有する本体部２２ａに室内側からビス止めされる固定部３２ａと、固定部３２ａから、上框２２の被ガイド部２２ｂの室内側の面に沿うように上方に延出された延出部３２ｂと、被ガイド部２２ｂより上方に突出された延出部３２ｂの上端部に形成された、ワイヤ３３との係合部３２ｃと、を有するほぼ板状の部材である。係合部３２ｃは、ワイヤ３３が挿通される挿通穴３２ｄが見付け方向に沿って形成されている部位であり、例えば、板状の部材の上端部を断面が環状をなすように丸めて形成されている。
【００２５】
ワイヤ３３は、枠体１０の見付け方向の幅より短く、枠体１０の見付け方向の幅の半分の距離より十分に長く形成されている。ワイヤ３３の両端部には端子３５が取り付けられている。端子３５は、ワイヤ３３がカシメられているカシメ部３５ａと、カシメ部３５ａの先端側に設けられカシメ部３５ａより大きな外径をなす係止部３５ｂとを有している。係止部３５ｂの外径は、連結部材３２の挿通穴３２ｄの内径より大きく形成されているので、端子３５はワイヤ３３が連結部材３２の挿通穴３２ｄを通された後に、ワイヤ３３の端部に固定される。
【００２６】
ワイヤ係止ブラケット３６は、図５に示すように、枠体１０の本体部１３に固定される長方形状の固定板部３７と、固定板部３７とほぼ直角をなし、ワイヤ３３の端子３５が係止される係止板部３８とを有するＬ字状の部材である。固定板部３７には長手方向に沿って長い長穴３７ａが設けられている。係止板部３８には、端子３５のカシメ部３５ａの直径より僅かに広い幅のスリット３８ａが固定板部３７に繋がって設けられており、固定板部３７側では、係止板部３８のスリット３８ａの幅より広く、端子３５の係止部３５ｂが挿通可能な穴３７ｂが設けられている。係止板部３８に設けられたスリット３８ａは、固定板部３７には繋がっているが、反固定板部側では塞がれている。このため、ワイヤ３３の端子３５の係止部３５ｂを穴３７ｂから通してカシメ部３５ａがスリット３８ａに位置するように配置し、固定板部３７を枠体１０の本体部１３に固定することにより、ワイヤ３３の端部が枠体１０に固定されるように構成されている。
【００２７】
連結部材３２が挿通されたワイヤ３３の端子３５の一方を、例えば、上枠１０ａの右端側に偏らせて配置したワイヤ係止ブラケット３６に係止し、ワイヤ係止ブラケット３６をビス止めすることにより枠体１０に固定し、ワイヤ３３の端子３５の他方を、上側の枠体１０の左端側に偏らせて配置したワイヤ係止ブラケット３６に係止し、ワイヤ係止ブラケット３６をビス止めすることによりワイヤ３３が見付け方向に配置されて網戸連結機構３０が枠体１０に固定される。
【００２８】
網戸連結機構３０が取り付けられた枠体１０に網戸２０を建て込むと、網戸２０の被ガイド部２２ｂが、網戸連結機構３０が設けられている網戸レール１２と外障子レール１１との間に挿入される。そして、ワイヤ３３から垂れ下がっている連結部材３２を網戸２０が有する上框２２の室内側に沿わせると共に、網戸２０の本体部２２ａに、見付け方向における中央近傍に位置させて、連結部材３２を貫通するビスにて固定することにより、枠体１０と網戸２０とが連結される。
【００２９】
枠体１０に建て込まれ、網戸連結機構３０により連結された網戸２０を、見付け方向に移動させると、網戸２０の移動に伴って、ワイヤ３３と連結部材３２との係合位置が見付け方向に移動する。このため、網戸連結機構３０により網戸２０の移動が規制されることはない。
【００３０】
本実施形態の建具１によれば、網戸２０と枠体１０とは網戸連結機構３０により、網戸２０の見付け方向の移動を許容しつつ連結されているので、たとえ網戸２０が枠体１０から外れたとしても、図６に示すように、網戸連結機構３０により枠体１０に保持させて脱落することを防止することが可能である。また、網戸連結機構３０は網戸２０が沿わされる網戸レール１２の室内側に設けられているので、網戸２０が取り付けられた際には、網戸連結機構３０は室外側に露出する虞はない。このため、外観の意匠性を損なうことなく、網戸２０の脱落をより確実に防止する機能を有する建具１を提供することが可能である。
【００３１】
更に、網戸連結機構３０のワイヤ係止ブラケット３６がビスにて枠体１０に固定される構成としたので、枠体１０を取り付けるだけで網戸連結機構３０の固定箇所を確保することが可能である。すなわち、建具１が様々な建物等に取り付けられる場合や、建具１の取り付け形態が、内付、外付、半外付等のいずれの場合であったとしても、上枠１０ａが網戸連結機構３０の固定箇所となるので、取り付け箇所となる部材を別途設けることなく建具１に網戸連結機構３０を備えることが可能である。
【００３２】
また、枠体１０と網戸２０とを連結する連結部材３２が網戸２０に固定され、連結部材３２と係合し網戸２０の移動に伴って連結部材３２との係合位置が見付け方向に移動するワイヤ３３が、枠体１０に取り付けられているので、網戸２０の見付け方向の移動を許容しつつ網戸２０と枠体１０とを連結することが可能である。
【００３３】
また、建具１によれば、ワイヤ３３の両端部に設けられた端子３５の係止部３５ｂの外径は、ワイヤ３３が挿通された連結部材３２の挿通穴３２ｄの内径より大きいので、ワイヤ３３の一方の端部がワイヤ係止ブラケット３６を介して枠体１０に固定され、連結部材３２が網戸２０に固定されただけの状態であっても、枠体１０から網戸２０が脱落した場合には、網戸２０をワイヤ３３にて枠体１０に支持させることが可能である。このため、網戸２０の取り付けや取り外しの際には、ワイヤ３３が挿通された連結部材３２が固定された網戸２０を室内に配置して、ワイヤ３３の一方の端部を、ワイヤ係止ブラケット３６を介して枠体１０に固定した後に、網戸２０を枠体１０に建て込むと、たとえ、誤って網戸２０が外れてしまっても、図７に示すように、ワイヤ３３の他方の端部に設けられた端子３５によりワイヤ３３が連結部材３２から外れない。よって、より確実に網戸２０の脱落を防止することが可能である。
【００３４】
上記実施形態においては、ワイヤ係止ブラケット３６の係止板部３８から固定板部３７に亘って設けたスリット３８ａの固定板部３７側の部位を、端子３５の外径より大きくすることにより、端子３５がスリット３８ａに挿通されたワイヤ係止ブラケット３６を上枠１０ａに固定するとワイヤ３３が外れない構成としたが、この限りではない。例えば、係止板部３８に、端子３５の外径より大きな大穴と小さな小穴とが繋がった、所謂だるま穴を形成しておき、予め枠体１０に取り付けられた、だるま穴を有するワイヤ係止ブラケットの大穴から端子を挿入して小穴側に端子を位置させることにより、ワイヤ３３が着脱自在に構成されていても良い。
【００３５】
また、上記実施形態においては、連結部材３２を、網戸２０の上框２２が有する本体部２２ａに室内側から連結部材３２の固定部３２ａを貫通するビスにて固定する例について説明したが、これに限るものではない。例えば、図１１に示すように、連結部材３１が、固定部３１ａと延出部３１ｂとを繋ぐ中継部３１ｃから固定部３１ａに繋がった切り欠き部３１ｄを有し、上框２２の被ガイド部２２ｂに締め込まれることなく螺合されているビス３４を切り欠き部３１ｄに挿入するように網戸２０に連結部材３１を下方から移動させた後に、ビス３４を締め込むことにより、連結部材３１を取り付ける構成であっても構わない。
【００３６】
この場合には、切り欠き部３１ｄの、固定部３１ａに設けられている部位は、ビス３４のねじ部３４ａより僅かに広く、ビス３４の頭部３４ｂより狭く形成されている。また、切り欠き部３１ｄの、中継部３１ｃに設けられている部位は、ビス３４の頭部３４ｂより広く形成されている。このため、連結部材３１を下方から網戸２０の上框２２に沿って移動させるとビス３４の頭部３４ｂを固定部３１ａの室内側に位置させることが可能であり、ビス３４を締め込むことにより、連結部材３１を網戸２０に固定することが可能である。このとき、図１１に示すように、切り欠き部３１ｄの固定部３１ａに設けられた部位の脇に、弾性変形可能な切り起こし部分３１ｅを備えておくと、連結部材３１を下方から上框２２に沿って移動させた際に、ビス３４の頭部３４ｂと上框２２の本体部２２ａとの間に、切り起こし部分３１ｅが弾性変形されつつ挟まれる。このように、切り起こし部分３１ｅが挟まれることにより、連結部材３１を網戸２０に一時的に保持させることができ、保持させた状態にてビス３４を締め込むことが可能なので、施工性がよい建具を提供することが可能である。
【００３７】
また、上記実施形態においては、連結部材３２の挿通穴３２ｄに直接ワイヤ３３を挿通する例について説明したが、網戸２０の移動時における負荷を低減するために、挿通穴３２ｄの内周側にワイヤ３３の摺動性を向上させる樹脂等でなるチューブを設けたり、また、ワイヤ３３の外周に摺動性を高める被覆を施してもよい。
【００３８】
また、上記実施形態においては、連結部材３２にワイヤ３３が挿通される挿通穴３２ｄが設けられている例について説明したが、連結部材３２の挿通穴３２ｄに代えてワイヤ３３に引っ掛けられるフック部を備えたフック部材が設けられていても良い。フック部は、例えば、図４において環状に繋がった係合部３２ｃの先端が延出部３２ｂの上端から離れてワイヤ３３が入出できる程度の隙間を有する部材である。この場合には、両端が固定され、見付け方向に沿って設けられたワイヤ３３にフック部を引っ掛けるだけで、網戸２０の見付け方向の移動を許容しつつ網戸２０と枠体１０とを連結することが可能である。このため、網戸２０を容易に着脱することが可能である。
【００３９】
第１実施形態においては、ワイヤ３３を枠体１０に、連結部材３２を網戸２０に設けた例について説明したが、ワイヤ３３が網戸２０に、また連結部材３２が枠体１０に設けられていても良い。
【００４０】
第１実施形態の建具１は、網戸連結機構３０が、ワイヤ３３に連結部材３２が挿通されて構成されていたが、この限りではない。以下の説明においては、第１実施形態と同様の部材には同一の符号を付して説明を省略する。
【００４１】
第２実施形態の建具１は、図８に示すように、上枠１０ａにおける見付け方向の両端部近傍または縦枠１０ｃの上端部側に、ワイヤ３３をガイドする係合部材としてのガイドプーリー５０を設けて、網戸２０の上端側であって見付け方向における両端部に連結部材としての１本のワイヤ３３の両端部を固定しておく。このときガイドプーリー５０の回転軸は、網戸レール１２と外障子レール１１ａとの間にて見込み方向に沿って架け渡されている。また、両端部が網戸２０に固定されたワイヤ３３は、枠体１０に設けられた一対のガイドプーリー５０に架け渡して引き回されている。ここで、ガイドプーリー５０、ワイヤ３３、網戸２０におけるワイヤ３３の固定部は、網戸レール１２の下端より上に設けられている。
【００４２】
第２実施形態の建具１は、網戸２０の、見付け方向における両端部がワイヤ３３にて繋がれているので、ワイヤ３３と網戸２０とは環状をなしている。環状をなすワイヤ３３と網戸２０とのうちのワイヤ３３が枠体１０に設けられた一対のガイドプーリー５０に引き回されているので、たとえ網戸２０が外れたとしても、ワイヤ３３がガイドプーリー５０に引っ張られて吊り下げられる。また、一対のガイドプーリー５０は見付け方向に間隔を隔てて枠体１０の見付け方向における両端部近傍に設けられているので、網戸２０の見付け方向の移動が許容される。このため、網戸２０の見付け方向の移動を許容しつつ網戸２０と枠体１０とを連結して脱落を防止することが可能である。
【００４３】
第３実施形態の建具１は、図９に示すように、網戸２０に係合部材としてのガイドレール５２が設けられており、枠体１０にガイドレール５２と係合する連結部材としてのロッド５４が設けられている。
【００４４】
ガイドレール５２は、網戸２０の上框２２より上方に突出するように上框２２に取り付けられており、縦断面がほぼＣ字状をなして、見込み方向の室内側に向かって開放されるとともに見付け方向に沿って形成されている。ロッド５４は、上枠１０ａの外障子レール１１ａに、室外側に向かって突出されており、丸棒状をなしている。ロッド５４には、先端より僅かに室内側に、先端の部分より直径が小さな小径部５４ａが設けられている。ここで、ガイドレール５２及びロッド５４は、網戸レール１２の下端より上に設けられている。
【００４５】
網戸２０が枠体１０に取り付けられる際には、網戸２０側のガイドレール５２と枠体１０側のロッド５４とが対向する位置に配置されて係合される。このとき、Ｃ字状をなすガイドレール５２の先端部分がロッド５４の小径部５４ａに位置しており、ロッド５４の小径部５４ａより先端側の、小径部５４ａより直径の大きな部位がガイドレール５２の内側に入り込んでいる。このため、ロッド５４とガイドレール５２とが見込み方向に離れることはない。このため、網戸２０が枠体１０から外れても網戸連結機構３０のガイドレール５２がロッド５４にとの係合が維持されるため網戸２０の脱落を防止することが可能である。
【００４６】
第３実施形態においては、ロッド５４を枠体１０に、ガイドレール５２を網戸２０に設けた例について説明したが、ロッド５４が網戸２０に、またガイドレール５２が枠体１０に設けられていても良い。
【００４７】
第４実施形態の建具１は、図１０に示すように、縦枠１０ｃが中空部を有しており、左右に設けられた縦枠１０ｃの一方の上端側に係合部としてのガイドプーリー５０が設けられている。このガイドプーリー５０の回転軸は、網戸レール１２と外障子レール１１ａとの間にて見込み方向に沿って架け渡されている。
【００４８】
網戸２０の、ガイドプーリー５０が設けられている側の端部に、連結部材としてのワイヤ３３の一方の端部が固定されている。ワイヤ３３は、ガイドプーリー５０に掛けられるとともに下方に垂れ下げられ、下端にはワイヤ３３が弛みなく張られる程度の重さを有する錘５６が取り付けられている。錘５６が取り付けられたワイヤ３３は、網戸２０が見付け方向に移動する間に、縦枠１０ｃが中空部内を移動するが、下枠１０ｂ側に突出したり、ガイドプーリー５０と接触しないように構成されている。また、錘５６は縦枠１０ｃとガイドプーリー５０との隙間より大きな外径を有している。ここで、ガイドプーリー５０、ワイヤ３３、網戸２０におけるワイヤ３３の固定部は、網戸レール１２の下端より上に設けられている。
【００４９】
第４実施形態の建具１は、網戸２０に固定されたワイヤ３３が、ワイヤ３３の端部に設けられた錘５６により、網戸２０が見付け方向に移動しても枠体１０から外に露出しないように張られており、網戸２０が枠体１０から外れた際には、錘５６が縦枠１０ｃとガイドプーリー５０との隙間に引っ掛かり、網戸２０がワイヤ３３により吊り下げられることにより脱落を防止することが可能である。
【００５０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  建具、１０  枠体、１０ａ  上枠、１０ｃ  縦枠、
１１  障子レール、１１ａ  外障子レール、１２  網戸レール、
２０  網戸、２２  上框、３０  網戸連結機構、３１  連結部材、
３２  連結部材、３２ｄ  挿通穴、３３  ワイヤ、３５  端子、
３６  ワイヤ係止ブラケット、５０  ガイドプーリー、
５２  ガイドレール、５４  ロッド、５６  錘
【図１】
2011149258.tif 000003
【図２】
2011149258.tif 000004
【図３】
2011149258.tif 000005
【図４】
2011149258.tif 000006
【図５】
2011149258.tif 000007
【図６】
2011149258.tif 000008
【図７】
2011149258.tif 000009
【図８】
2011149258.tif 000010
【図９】
2011149258.tif 000011
【図１０】
2011149258.tif 000012
【図１１】
2011149258.tif 000013